(57)【要約】      （修正有）【課題】容易かつ迅速に建築物の内部構造を変更し、変更前と変更後の風通りや採光の状況を確認することができる建築模型を提供する。【解決手段】基板１２と、外壁用部材と、内壁用部材と、前記外壁用部材と前記内壁用部材の上部を覆う天井部材２４と、を備え、前記基板の上部は磁性を有する材料で構成され、前記外壁用部材及び前記内壁用部材の下部には前記磁性を有する材料に吸着する磁石が配設され、前記外壁用部材と前記内壁用部材は前記基板に着脱自在であり、自由に外壁の位置や内壁の形状を変えることができる。【選択図】図１
0003225309.tif 000002
【実用新案登録請求の範囲】
【請求項１】
建築物の建築模型であって、
基板と、
外壁用部材と、
内壁用部材と、
前記外壁用部材と前記内壁用部材の上部を覆う天井部材と、を備え、
前記基板の上部は磁性体で構成され、
前記外壁用部材及び前記内壁用部材の下部には磁石が配設され、
前記外壁用部材と前記内壁用部材は前記基板に着脱自在であり、自由に外壁の位置や内壁の形状を変えることができることを特徴とする建築模型。
【請求項２】
請求項１に記載の建築模型において、
前記外壁用部材と前記天井部との一部または全部が透明であり、
前記建築模型の外部から内部を直視することができることを特徴とする建築模型。
【請求項３】
請求項１に記載の建築模型において、
前記外壁用部材の少なくとも二箇所に開口部が設けられており、
一方の前記開口部から風を送ることにより、他方の前記開口部から風が排出されることを特徴とする建築模型。
【請求項４】
請求項１〜３のいずれかに記載の建築模型において、
前記開口部から光を照射することにより、部屋の内部に光が投射され、
一部または全部が透明である前記外壁用部材または前記天井部を通して部屋の内部に投射された光を視認できることを特徴とする建築模型。
【考案の詳細な説明】
【技術分野】
【０００１】
本考案は、建築模型に関する。
【背景技術】
【０００２】
住宅やマンションなどの建築物が古くなるとリフォームやリノベーションを行うことが行われている。リフォームとは古い建築物を新築の状態に近づけることであり、リノベーションは新築の状態よりも建築物の機能や価値を向上させることである。現在ではリフォームよりもリノベーションが好まれる傾向にある。
【０００３】
建築物をリノベーションした後の風通しや採光の状態はリノベーションの設計に大きな影響を与えるために非常に重要である。現在ではコンピューターシュミレーションを用いたリノベーション設計が進んでいるが、間取りを簡単に変更して風通しや採光の状況を確認できる建築模型へのニーズが高い。
【０００４】
そこで、簡単かつ迅速に間取りを変更することができる建築模型が提案されている。特許文献１に係る発明は、複数の磁石が格子点状に配置された基板を有し、基板の磁石に吸着して基板に対して垂直に土台板、外壁用部材、内壁用部材を設置できる。そうすることで、容易かつ迅速に間取りを変更することができ、設備費や模型の作成費などのコストを低減することができるとしている。
【先行技術文献】
【特許文献】
【０００５】
【特許文献１】特開２０１０−１９７５１５号公報
【考案の概要】
【考案が解決しようとする課題】
【０００６】
特許文献１に記載の発明は、基板全面に磁石が配設されており、煩雑な構造となりコスト高となる。また、建築物の間取りを変更するのみであり、変更の前と後の建築模型の壁に設けられた開口部から送風や光照射をしても、建築模型の風通しや採光の状況を確認することができない。
【０００７】
本考案の目的は上記のような問題点を解消することにあり、簡便かつ迅速に間取りを変更することができるとともに、変更する前と後の間取りにおいて、風通りや採光の状況を容易に確認することができることを目的とする。
【課題を解決するための手段】
【０００８】
前記の目的を達成するために、本考案に係る建築模型は、基板と、外壁用部材と、内壁用部材と、前記外壁用部材と前記内壁用部材の上部を覆う天井部材と、を備え、前記基板の上部は磁性体で構成され、前記外壁用部材及び前記内壁用部材の下部には磁石が配設され、前記外壁用部材と前記内壁用部材は前記基板に着脱自在であり、自由に外壁の位置や内壁の形状を変えることができることを特徴とする。
【０００９】
また、前記外壁用部材と前記天井部との一部または全部が透明であり、前記建築模型の外部から内部を直視することができることを特徴とする。
【００１０】
そして、前記外壁用部材の少なくとも二箇所に開口部が設けられており、一方の前記開口部から風を送ることにより、他方の前記開口部から風が排出されることを特徴とする。
【００１１】
さらに、前記開口部から光を照射することにより、部屋の内部に光が投射され、一部または全部が透明である前記外壁用部材または前記天井部を通して部屋の内部に投射された光を視認できることを特徴とする。
【考案の効果】
【００１２】
本考案によれば、間取りを容易かつ迅速に変更することができ、間取りを変更する前と変更した後との風通しの状態や採光の程度を容易に比較することができる。
【図面の簡単な説明】
【００１３】
【図１】本発明の実施の形態の建築物模型を示す斜視図である。
【図２】本発明の実施の形態の建築物模型を示す分解斜視図である
【図３】本発明の実施の形態の建築物模型に係る基板を示す断面図である
【図４】本発明の実施の形態の建築物模型に係る外壁用部材を示す平面図である。
【図５】本発明の実施の形態の建築物模型に係る内壁用部材を示す平面図である。
【図６】本発明の実施の形態の建築物模型に係るリノベーション前の風通しの概念図である。
【図７】本発明の実施の形態の建築物模型に係るリノベーション後の風通しの概念図である。
【考案を実施するための形態】
【００１４】
以下に、本考案の実施形態に係る建築模型を図面に基づいて詳しく説明する。
【００１５】
図１は、本考案の実施形態に係る建築模型１０の斜視図であり、図２は、本考案の実施形態に係る建築模型１０の分解斜視図である。建築模型１０は、基板１２、外壁用部材１６、内壁用部材１４、天井部材２４を備える。
【００１６】
ここで、天井部材２４の一部または全部は透明であり、天井部材２４を通して建築模型１０の内部を見ることができる。
【００１７】
図３は、基板１２の断面図である。基板１２は方形をしており、上部に磁性体１４が設けられている。磁性体は、例えば鉄、ニッケルなどの磁性を有する材料を用いることができる。また、基板１２全体を磁性体とすることもできる。
【００１８】
図４は、外壁用部材１６（ａ）〜（ｃ）の平面図である。外壁用部材１６（ａ）〜（ｃ）は複数の形状よりなり、幅と長さは適宜定められる。外壁用部材１６は開口部２０が設けることができ、開口部の大きさと位置は適宜定められる。また、外壁用部材１６（ａ）〜（ｃ）の一部または全部を透明とすることで開口部２０または透明部分を通して建築模型１０の内部を見ることができる。
【００１９】
さらに、外壁用部材１６（ａ）〜（ｃ）の下部は磁性体１４と吸着可能な磁石１８が複数設けられており、磁石１８を磁性体１４と吸着させることにより、外壁用部材１６（ａ）〜（ｃ）を基板１２の上に配置することができる。
【００２０】
図５は、内壁用部材２２（ａ）〜（ｄ）の平面図である。内壁用部材２２（ａ）〜（ｄ）は様々な幅と長さを備えており、下部には磁性体１４と吸着可能な磁石１８が複数設けられており、磁石１８を磁性体１４と吸着させることにより、内壁用部材２２（ａ）〜（ｄ）を基板１２の上に配置することができる。
【００２１】
以上のように、建築模型１０は基板１２に外壁用部材１６（ａ）〜（ｃ）及び内壁用部材１４（ａ）〜（ｄ）を配置したあとに天井部材２４で上部を覆うことにより形成される。
【００２２】
本考案の実施形態に係る建築模型は以上のように構成される。ついで、具体的な使用方法について説明を行う。
【００２３】
＜使用方法＞
まず図６に示すように、リノベーション前の設計図に基づき、外壁用部材１６と内壁用部材２２を基板１２に配置し、その後外壁用部材１６と内壁用部材２２の上部を天井部材２４で覆うことで建築模型１０を形成する。
【００２４】
このとき、基板１２の上に設計図を書いた紙などを敷いて、その上に外壁用部材１６と内壁用部材２２を配置することで簡便に建築模型を組み立てることができる。
【００２５】
そして、外壁用部材１６の一方の開口部より風３６を送り、対面の外壁用部材１６の開口部からどの程度の風３６が送られるか確認する。この場合では、図６に示すように風３６が内壁用部材２２に遮られ、片側の開口部２０からもう片側の開口部２０への流れが少ないことがわかる。
【００２６】
ついで図７に示すように、リノベーション後の設計図に基づき、外壁用部材１６と内壁用部材２２を基板１２に配置し、その後外壁用部材１６と内壁用部材２２の上部を天井部材２４で覆うことで建築模型１０を形成する。
【００２７】
そして、外壁用部材１６の一方の開口部より風３６を送り、対面の外壁用部材１６の開口部からどの程度の風３６が送られるか確認し、リノベーション前とリノベーション後の建築模型１０内部を通る風３６の量を比較する。
【００２８】
この場合、図７に示すように風３６が内壁用部材２２に沿って流れ、片側の開口部２０からもう一方の開口部２０への流れが多いことがわかる。
【００２９】
このようにリノベーション前とリノベーション後の内壁用部材２２を変更する前後の風３６の通り方や風量を容易に比較することができる。
【００３０】
また、同様にして、リノベーション前とリノベーション後の建築模型１０の一方の開口部２０から図示しない光源を用意して光を照射し、建築模型１０の内部の光の投射を天井部材２４または外壁用部材１６の透明部分を通して比較することができる。
【００３１】
この場合にも、図６に示すリノベーション前では、内壁用部材２２に光が遮られ、建築模型の内部まで光が届かないことが確認できる。一方、図７に示すリノベーション後では、内壁用部材２２に光が遮られる割合が少ないため、建築模型の内部まで光が届くことが確認できる。
【００３２】
なお、本考案は上述した実施の形態に限定されるものではなく、本考案の趣旨を逸脱しない範囲で変更することが可能である。
【００３３】
例えば、外壁用部材１６（ａ）〜（ｃ）の形状は実施の形態以外に備えることや、建築模型１０の四方を囲む一体成型とすることができる。同様に、内壁用部材２２（ａ）〜（ｄ）の形状も実施の形態以外の形状に備えることができる。
【符号の説明】
【００３４】
１０  建築模型
１２  基板
１４  磁性体
１６（ａ）〜（ｃ）外壁用部材
１８  磁石
２０  開口部
２２（ａ）〜（ｄ）内壁用部材
２４  天井部材
２６  風
【図１】
0003225309.tif 000003
【図２】
0003225309.tif 000004
【図３】
0003225309.tif 000005
【図４】
0003225309.tif 000006
【図５】
0003225309.tif 000007
【図６】
0003225309.tif 000008
【図７】
0003225309.tif 000009